(57)【要約】建物用の避難装置が：建物の少なくとも一つの階と選択的に通信可能なようになっている、選択的に下降可能であり折りたたみ可能でありほぼ垂直な少なくとも一つの運搬装置と；運搬装置のプラットホームの少なくとも一つを該少なくとも一つの階から人々の脱出が安全に行なえる階へ選択的に下降させるためのコントローラと；を含んでいる。
2006507043.tif 000002
【特許請求の範囲】
【請求項１】
建物用の避難装置が：
建物の少なくとも一つの階と選択的に通信可能なようになっている、選択的に下降可能であり折りたたみ可能でありほぼ垂直な少なくとも一つの運搬装置と；
該運搬装置のプラットホームの少なくとも一つを該少なくとも一つの階から人々の脱出が安全に行なえる階へ選択的に下降させるためのコントローラと；
を具備する避難装置。
【請求項２】
該少なくとも一つの運搬装置が、建物の複数階と選択的に通信可能なようになっている多段プラットホーム運搬装置を備えている、請求項１に記載の避難装置。
【請求項３】
選択的に下降可能であり多段プラットホームのほぼ垂直な該少なくとも一つの運搬装置が：複数のほぼ垂直なサポートに支持されるべく配置された複数の積層式プラットホームを備えていて、該複数の積層式プラットホームの少なくともいくつかは、避難者を載せるために、各々が該建物の異なる階と通信してお互いに離間して配置されるようになっている、請求項２に記載の避難装置。
【請求項４】
該複数の積層式プラットホームは、使用されていない場合お互いに対して折りたたまれて配置されている、請求項３に記載の避難装置。
【請求項５】
該複数の積層式プラットホームは、避難者が降りた後にお互いに対して折りたたまれて配置されている、請求項３に記載の避難装置。
【請求項６】
該複数のほぼ垂直なサポートが、ケーブルを備えている、請求項３−５のいずれか一項に記載の避難装置。
【請求項７】
該複数のほぼ垂直なサポートが、剛なサポートエレメントを備えている、請求項３−５のいずれか一項に記載の避難装置。
【請求項８】
該複数の積層式プラットホーム各々が、底部サポート面と周囲包囲エレメントを備えている、請求項３−７のいずれか一項に記載の避難装置。
【請求項９】
該周囲包囲エレメントが繊維製の壁面エレメントを備えている、請求項８に記載の避難装置。
【請求項１０】
該繊維が、耐熱性繊維、耐燃性繊維及び耐煙性繊維のうちの少なくとも一つで構成されている、請求項９に記載の避難装置。
【請求項１１】
該運搬装置と協働している、横方向の力に対して該運搬装置を安定化するための、建物に取り付けられた少なくとも一つの安定化エレメントを備えている、請求項１−１０のいずれか一項に記載の避難装置。
【請求項１２】
該少なくとも一つの運搬装置が複数の運搬装置を備えていて；そして該コントローラは該複数の運搬装置個々を個別に制御するべく操作可能であり、異なる運搬装置の多段プラットホームが同時的に避難者を載せるために該建物の複数の階の異なる群と通信して同時に位置決めできるようになっている、請求項２−１１のいずれか一項に記載の避難装置。
【請求項１３】
該コントローラが、該多段プラットホームを同時的避難のために該建物の複数の脱出階と通信して同時的に位置決めするべく操作可能である、請求項２−１２のいずれか一項に記載の避難装置。
【請求項１４】
該少なくとも一つの運搬装置が、人々を該少なくとも一つの脱出階から該建物の複数の階へ吊り上げるためにも操作可能である、請求項２−１３のいずれか一項に記載の避難装置。
【請求項１５】
該運搬装置が建物に取り付けられている、請求項１−１１のいずれか一項に記載の運搬装置。
【請求項１６】
該コントローラが、電源そう失時に少なくとも一つのプラットホームを該脱出階に選択的に下降させるべく操作可能である、請求項１５に記載の運搬装置。
【請求項１７】
該運搬装置がポータブル型である請求項１−１１のいずれか一項に記載の運搬装置。
【請求項１８】
該ポータブル型運搬装置が伸縮ピストンにより上昇及び下降される、請求項１７に記載の運搬装置。
【請求項１９】
建物用の避難装置が：
建物の複数階と選択的に通信可能なようになっている、選択的に下降可能な多段プラットホームのほぼ垂直な運搬装置の少なくとも一つと；
該少なくとも一つの運搬装置の該多段プラットホームを、該複数階から人々の脱出が安全に行なえる少なくとも一つの脱出階へ選択的に下降させるためのコントローラと；
を具備する避難装置。
【請求項２０】
選択的に下降可能であり多段プラットホームのほぼ垂直な該少なくとも一つの運搬装置が：複数のほぼ垂直なサポートに支持されるべく配置された複数の積層式プラットホームを備えていて、該複数の積層式プラットホームの少なくともいくつかは、避難者を載せるために、各々が該建物の異なる階と通信してお互いに離間して配置されるようになっている、請求項１９に記載の避難装置。
【請求項２１】
該複数の積層式プラットホームは、使用されていない場合お互いに対して折りたたまれて配置されている、請求項２０に記載の避難装置。
【請求項２２】
該複数の積層式プラットホームは、避難者が降りた後にお互いに対して折りたたまれて配置されている、請求項２０又は２１に記載の避難装置。
【請求項２３】
該複数のほぼ垂直なサポートが、ケーブルを備えている、請求項２０−２２のいずれか一項に記載の避難装置。
【請求項２４】
該複数のほぼ垂直なサポートが、剛なサポートエレメントを備えている、請求項２０−２２のいずれか一項に記載の避難装置。
【請求項２５】
該複数の積層式プラットホーム各々が、底部サポート面と周囲包囲エレメントを備えている、請求項２０−２４のいずれか一項に記載の避難装置。
【請求項２６】
該周囲包囲エレメントが繊維製の壁面エレメントを備えている、請求項２５に記載の避難装置。
【請求項２７】
該繊維が、耐熱性繊維、耐燃性繊維及び耐煙性繊維のうちの少なくとも一つで構成されている、請求項２６に記載の避難装置。
【請求項２８】
該運搬装置と協働している、横方向の力に対して該運搬装置を安定化するための、建物に取り付けられた少なくとも一つの安定化エレメントを備えている、請求項１９−２７のいずれか一項に記載の避難装置。
【請求項２９】
該少なくとも一つの運搬装置が複数の運搬装置を備えていて；そして該コントローラは該複数の運搬装置個々を個別に制御するべく操作可能であり、異なる運搬装置の多段プラットホームが同時的に避難者を載せるために該建物の複数の階の異なる群と通信して同時に位置決めできるようになっている、請求項１９−２８のいずれか一項に記載の避難装置。
【請求項３０】
該コントローラが、該多段プラットホームを同時的避難のために該建物の複数の脱出階と通信して同時的に位置決めするべく操作可能である、請求項１９−２９のいずれか一項に記載の避難装置。
【請求項３１】
該少なくとも一つの運搬装置が、人々を該少なくとも一つの脱出階から建物の複数の階へ吊り上げるためにも操作可能である、請求項１９−３０のいずれか一項に記載の避難装置。
【請求項３２】
該多段プラットホームがかご形プラットホームを備えている、請求項１９−２０のいずれか一項に記載の避難装置。
【請求項３３】
該運搬装置が建物に取り付けられている、請求項１９−３２のいずれか一項に記載の運搬装置。
【請求項３４】
該コントローラが、電源そう失時に少なくとも一つのプラットホームを該脱出階に選択的に下降させるべく操作可能である、請求項３３に記載の運搬装置。
【請求項３５】
該運搬装置がポータブル型である請求項１９−３２のいずれか一項に記載の運搬装置。
【請求項３６】
該ポータブル型運搬装置が伸縮ピストンにより上昇及び下降される、請求項３５に記載の運搬装置。
【請求項３７】
建物用の避難装置であって：
建物の複数階と選択的に通信可能なようになっている、選択的に下降可能で選択的に離間可能な多段プラットホームのほぼ垂直な運搬装置の少なくとも一つと；
該運搬装置の該多段プラットホームを、該複数階から人々の脱出が安全に行なえる脱出階へ選択的に下降させるためのコントローラと；
を具備する避難装置において、
該多段プラットホーム間の相互スペースは、人々を載せていない場合縮めることが可能である；
避難装置。
【請求項３８】
該少なくとも一つの運搬装置が、複数のほぼ垂直なサポートに支持されるべく配置された複数の積層式プラットホームを備えている、請求項３７に記載の避難装置。
【請求項３９】
該複数のほぼ垂直なサポートが、ケーブルを備えている、請求項３８に記載の避難装置。
【請求項４０】
該複数のほぼ垂直なサポートが、剛なサポートエレメントを備えている、請求項３８に記載の避難装置。
【請求項４１】
該複数の積層式プラットホーム各々が、底部サポート面と周囲包囲エレメントを備えている、請求項３８−４０のいずれか一項に記載の避難装置。
【請求項４２】
該周囲包囲エレメントが繊維製の壁面エレメントを備えている、請求項４１に記載の避難装置。
【請求項４３】
該繊維が、耐熱性繊維、耐燃性繊維及び耐煙性繊維のうちの少なくとも一つで構成されている、請求項４２に記載の避難装置。
【請求項４４】
該運搬装置と協働している、横方向の力に対して該運搬装置を安定化するための、建物に取り付けられた少なくとも一つの安定化エレメントを備えている、請求項３７−４３のいずれか一項に記載の避難装置。
【請求項４５】
該少なくとも一つの運搬装置が複数の運搬装置を備えていて；そして該コントローラは該複数の運搬装置個々を個別に制御するべく操作可能であり、異なる運搬装置の多段プラットホームが同時的に避難者を載せるために該建物の複数の階の異なる群と通話して同時に位置決めできるようになっている、請求項３７−４４のいずれか一項に記載の避難装置。
【請求項４６】
該コントローラが、該多段プラットホームを同時的避難のために該建物の複数の脱出階と通信して同時的に位置決めするべく操作可能である、請求項３７−４５のいずれか一項に記載の避難装置。
【請求項４７】
該少なくとも一つの運搬装置が、人々を該少なくとも一つの脱出階から建物の複数の階へ吊り上げるためにも操作可能である、請求項３７−４６のいずれか一項に記載の避難装置。
【請求項４８】
該運搬装置が建物に取り付けられている、請求項３７−４７のいずれか一項に記載の運搬装置。
【請求項４９】
該コントローラが、電源そう失時に少なくとも一つのプラットホームを該脱出階に選択的に下降させるべく操作可能である、請求項４８に記載の運搬装置。
【請求項５０】
該運搬装置がポータブル型である請求項３７−４７のいずれか一項に記載の運搬装置。
【請求項５１】
該ポータブル型運搬装置が伸縮ピストンにより上昇及び下降される、請求項５０に記載の運搬装置。
【請求項５２】
建物における避難方法が：
選択的に下降可能であり折りたたみ可能でありほぼ垂直な少なくとも一つの運搬装置を、建物の少なくとも一つの階と通信して選択的に位置決めする段階と；
該少なくとも一つの運搬装置の該少なくとも一つのプラットホームを該少なくとも一つの階から人々が安全に脱出を行なえる少なくとも一つの脱出階へ選択的に下降させる段階と；
を含んでいる避難方法。
【請求項５３】
該少なくとも一つの運搬装置が多段プラットホームの運搬装置を含んでいて；
該選択的に位置決めする段階が、建物の複数階と通信して該多段プラットホームを選択的に位置決めする段階を含んでいる；請求項５２に記載の避難方法。
【請求項５４】
横方向の力に対して該運搬装置を安定化する段階を含んでいる、請求項５２又は５３に記載の避難方法。
【請求項５５】
該少なくとも一つの運搬装置が複数の運搬装置を備えていて；
該選択的に位置決めする段階が、該複数の運搬装置個々を個別に同時的に位置決めする段階を含んでいて、異なる運搬装置の多段プラットホームが同時的に避難者を載せるために該建物の複数の階の異なる群と通信している、請求項５３又は５４に記載の避難方法。
【請求項５６】
同時的避難のために該建物の複数の脱出階と通信して該多段プラットホームを同時的に位置決めする段階を含んでいる、請求項５３−５５のいずれか一項に記載の避難方法。
【請求項５７】
建物における避難方法が：
選択的に下降可能であり多段プラットホームのほぼ垂直な少なくとも一つの運搬装置を、建物の複数の階と通信して選択的に位置決めする段階と；
該少なくとも一つの運搬装置の該多段プラットホームを該複数の階から人々が安全に脱出を行なえる少なくとも一つの脱出階へ選択的に下降させる段階と；
を含んでいる避難方法。
【請求項５８】
該選択的に位置決めする段階が、避難者を載せるために各々が該建物の異なる階と通信して複数の積層式プラットホームを選択的に位置決めする段階を含んでいる、請求項５７に記載の避難方法。
【請求項５９】
横方向の力に対して該運搬装置を安定化する段階を含んでいる、請求項５７又は５８に記載の避難方法。
【請求項６０】
該少なくとも一つの運搬装置が複数の運搬装置を備えていて；
該選択的に位置決めする段階が、該複数の運搬装置個々を個別に同時的に位置決めする段階を含んでいて、異なる運搬装置の多段プラットホームが同時的に避難者を載せるために該建物の複数の階の異なる群と通話している、請求項５７−５９のいずれか一項に記載の避難方法。
【請求項６１】
同時的避難のために該建物の複数の脱出階と通信して該多段プラットホームを同時的に位置決めする段階を含んでいる、請求項５７−６０のいずれか一項に記載の避難方法。
【請求項６２】
建物における避難方法が：
建物の複数階と選択的に通信して、選択的に下降可能で選択的に離間可能な多段プラットホームのほぼ垂直な運搬装置を位置決めする段階と；
該少なくとも一つの運搬装置の該多段プラットホームを、該複数階から人々の脱出が安全に行なえる少なくとも一つの脱出階へ選択的に下降させる段階と；
該人々の脱出に続いて該多段プラットホーム間の相互スペースを縮める段階と；
を含んでいる避難方法。
【請求項６３】
横方向の力に対して該運搬装置を安定化する段階を含んでいる、請求項６２に記載の避難方法。
【請求項６４】
該少なくとも一つの運搬装置が複数の運搬装置を備えていて；
該選択的に位置決めする段階が、該複数の運搬装置個々を個別に同時的に位置決めする段階を含んでいて、異なる運搬装置の多段プラットホームが同時的に避難者を載せるために該建物の複数の階の異なる群と通話している、請求項６２又は６３に記載の避難方法。
【請求項６５】
同時的避難のために該建物の複数の脱出階と通信して該多段プラットホームを同時的に位置決めする段階を含んでいる、請求項６２−６４のいずれか一項に記載の避難方法。
【請求項６６】
建物における複数の階に人々を同時的に吊り上げる方法において、該方法が：
選択的に吊り上げ可能な多段プラットホームのほぼ垂直な運搬装置を建物の入口階と通信して選択的に位置決めする段階と；
該少なくとも一つの運搬装置の該多段プラットホームを該建物の複数の階に選択的に吊り上げる段階と；
を含んでいる方法。
【請求項６７】
該選択的に位置決めする段階が、複数の積層式プラットホームを各々が該入口階と通信して順次位置決めする段階を含んでいる、請求項６６に記載の方法。
【請求項６８】
横方向の力に対して該運搬装置を安定化する段階も含んでいる、請求項６６又は６７に記載の方法。
【請求項６９】
同時的に載せるために該建物の複数の入口階と通信して、該多段プラットホームを同時的に位置決めする段階を含んでいる、請求項６６−６８のいずれか一項に記載の方法。
【発明の詳細な説明】
【技術分野】
【０００１】
本発明は、建物の避難装置及び避難方法、特に高層ビルの避難装置及び避難方法に関する。
【背景技術】
【０００２】
特許文献１−２２が技術の現状を表わしているものと思われる。
【特許文献１】米国特許第３９４５４６９号明細書
【特許文献２】米国特許第４０１８３０６号明細書
【特許文献３】米国特許第４０３７６８５号明細書
【特許文献４】米国特許第４０４２０６６号明細書
【特許文献５】米国特許第４４０６３５１号明細書
【特許文献６】米国特許第４４２４８８４号明細書
【特許文献７】米国特許第４４６９１９８号明細書
【特許文献８】米国特許第４５３１６１１号明細書
【特許文献９】米国特許第４５３８７０４号明細書
【特許文献１０】米国特許第４５６９４１８号明細書
【特許文献１１】米国特許第４６５００３６号明細書
【特許文献１２】米国特許第４６６４２２６号明細書
【特許文献１３】米国特許第４８３０１４１号明細書
【特許文献１４】米国特許第４８６５１５５号明細書
【特許文献１５】米国特許第４９１９２２８号明細書
【特許文献１６】米国特許第５０６５８３９号明細書
【特許文献１７】米国特許第５１２７４９１号明細書
【特許文献１８】米国特許第５３７７７７８号明細書
【特許文献１９】米国特許第５３９２８７７号明細書
【特許文献２０】米国特許第５４９７８５５号明細書
【特許文献２１】米国特許第５６２００５８号明細書
【特許文献２２】米国特許第６３１８５０３号明細書
【発明の開示】
【発明が解決しようとする課題】
【０００３】
本発明は改善された建物の避難装置及び避難方法を提供することを目的としている。
【課題を解決するための手段】
【０００４】
本発明における好適な実施形態において、建物用の避難装置が提供されていて、避難装置が：建物の少なくとも一つの階と選択的に通信可能なようになっている、選択的に下降可能であり折りたたみ可能でありほぼ垂直な少なくとも一つの運搬装置と；該運搬装置のプラットホームの少なくとも一つを該少なくとも一つの階から人々の脱出が安全に行なえる階へ選択的に下降させるためのコントローラと；を具備している。
【０００５】
本発明における他の好適な実施形態において建物用の避難装置が提供されていて：避難装置が、建物の複数階と選択的に通信可能なようになっている、選択的に下降可能な多段プラットホームのほぼ垂直な運搬装置の少なくとも一つと；該少なくとも一つの運搬装置の該多段プラットホームを、該複数階から人々の脱出が安全に行なえる少なくとも一つの脱出階へ選択的に下降させるためのコントローラと；を具備している。
【０００６】
本発明における他の好適な実施形態において、建物用の避難装置が提供されていて、避難装置が、建物の複数階と選択的に通信可能なようになっている、選択的に下降可能で選択的に離間可能な多段プラットホームのほぼ垂直な運搬装置の少なくとも一つと；該運搬装置の該多段プラットホームを、該複数階から人々の脱出が安全に行なえる脱出階へ選択的に下降させるためのコントローラと；を具備していて、該多段プラットホーム間の相互スペースは、人々を載せていない場合縮めることが可能である。
【０００７】
本発明における他の好適な実施形態において、該少なくとも一つの運搬装置が、建物の複数階と選択的に通信可能なようになっている多段プラットホーム運搬装置を備えている。さらに選択的に下降可能であり多段プラットホームのほぼ垂直な該少なくとも一つの運搬装置が：複数のほぼ垂直なサポートに支持されるべく配置された複数の積層式プラットホームを備えていて、該複数の積層式プラットホームの少なくともいくつかは、避難者を載せるために、各々が該建物の異なる階と通信してお互いに離間して配置されるようになっている。好ましくは、該複数の積層式プラットホームは、使用されていない場合お互いに対して折りたたまれて配置されている。さらに、該複数の積層式プラットホームは、避難者が降りた後にお互いに対して折りたたまれて配置されている。
【０００８】
本発明における他の好適な実施形態において、該複数のほぼ垂直なサポートが、ケーブルを備えている。代りに該複数のほぼ垂直なサポートが、剛なサポートエレメントを備えている。
【０００９】
本発明における他の好適な実施形態において、該複数の積層式プラットホーム各々が、底部サポート面と周囲包囲エレメントを備えている。好ましくは、該周囲包囲エレメントが繊維製の壁面エレメントを備えている。さらに、該繊維が、耐熱性繊維、耐燃性繊維及び耐煙性繊維のうちの少なくとも一つで構成されている。
【００１０】
本発明における他の好適な実施形態において、該運搬装置と協働している、横方向の力に対して該運搬装置を安定化するための、建物に取り付けられた少なくとも一つの安定化エレメントを備えている。
【００１１】
本発明における他の好適な実施形態において、該少なくとも一つの運搬装置が複数の運搬装置を備えていて；そして該コントローラは該複数の運搬装置個々を個別に制御するべく操作可能であり、異なる運搬装置の多段プラットが同時的に避難者を載せるために該建物の複数の階の異なる群と通話して同時に位置決めできるようになっている。さらに、該コントローラが、該多段プラットホームを同時的避難のために該建物の複数の脱出階と通信して同時的に位置決めするべく操作可能である。
【００１２】
本発明における他の好適な実施形態において、該少なくとも一つの運搬装置が、人々を該少なくとも一つの脱出階から該建物の複数の階へ吊り上げるためにも操作可能である。
【００１３】
本発明における他の好適な実施形態において、該運搬装置が建物に取り付けられている。さらに、該コントローラが、電源そう失時に少なくとも一つのプラットホームを該脱出階に選択的に下降させるべく操作可能である。代りに、該運搬装置がポータブル型である。本発明における他の好適な実施形態において、該ポータブル型運搬装置が伸縮ピストンにより上昇及び下降される。
【００１４】
本発明における他の好適な実施形態において、該多段プラットホームがかご形プラットホームを備えている。
【００１５】
本発明における他の好適な実施形態において、建物における避難方法が提供されていて、避難方法が、選択的に下降可能であり折りたたみ可能でありほぼ垂直な少なくとも一つの運搬装置を、建物の少なくとも一つの階と通信して選択的に位置決めする段階と；該少なくとも一つの運搬装置の該少なくとも一つのプラットホームを該少なくとも一つの階から人々が安全に脱出を行なえる少なくとも一つの脱出階へ選択的に下降させる段階と；を含んでいる。
【００１６】
本発明における他の好適な実施形態において、建物における避難方法が提供されていて：避難方法が、選択的に下降可能であり多段プラットホームのほぼ垂直な少なくとも一つの運搬装置を、建物の複数の階と通信して選択的に位置決めする段階と；該少なくとも一つの運搬装置の該多段プラットホームを該複数の階から人々が安全に脱出を行なえる少なくとも一つの脱出階へ選択的に下降させる段階と；を含んでいる。
【００１７】
本発明における他の好適な実施形態において、建物における避難方法が提供されていて；避難方法が、建物の複数階と選択的に通信して、選択的に下降可能で選択的に離間可能な多段プラットホームのほぼ垂直な運搬装置を位置決めする段階と；該少なくとも一つの運搬装置の該多段プラットホームを、該複数階から人々の脱出が安全に行なえる少なくとも一つの脱出階へ選択的に下降させる段階と；該人々の脱出に続いて該多段プラットホーム間の相互スペースを縮める段階と；を含んでいる。
【００１８】
本発明における他の好適な実施形態において、該少なくとも一つの運搬装置が多段プラットホームの運搬装置を含んでいて；該選択的に位置決めする段階が、建物の複数階と通信して該多段プラットホームを選択的に位置決めする段階を含んでいる。
【００１９】
本発明における他の好適な実施形態において、横方向の力に対して該運搬装置を安定化する段階を含んでいる。
【００２０】
本発明における他の好適な実施形態において、該少なくとも一つの運搬装置が複数の運搬装置を備えていて；該選択的に位置決めする段階が、該複数の運搬装置個々を個別に同時的に位置決めする段階を含んでいて、異なる運搬装置の多段プラットホームが同時的に避難者を載せるために該建物の複数の階の異なる群と通話している。さらに、同時的避難のために該建物の複数の脱出階と通信して該多段プラットホームを同時的に位置決めする段階を含んでいる。
【００２１】
本発明における他の好適な実施形態において、該選択的に位置決めする段階が、避難者を載せるために各々が該建物の異なる階と連絡して複数の積層式プラットホームを選択的に位置決めする段階を含んでいる。
【００２２】
本発明における他の好適な実施形態において、建物における複数の階に人々を同時的に吊り上げる方法が提供されていて、該方法が：選択的に吊り上げ可能な多段プラットホームのほぼ垂直な運搬装置を建物の入口階と通信して選択的に位置決めする段階と；該少なくとも一つの運搬装置の該多段プラットホームを該建物の複数の階に選択的に吊り上げる段階と；を含んでいる。
【００２３】
本発明における他の好適な実施形態において、該選択的に位置決めする段階が、複数の積層式プラットホームを各々が該入口階と通信して順次位置決めする段階を含んでいる。
【００２４】
本発明における他の好適な実施形態において、横方向の力に対して該運搬装置を安定化する段階も含んでいる。
【００２５】
本発明における他の好適な実施形態において、同時的に載せるために該建物の複数の入口階と通信して、該多段プラットホームを同時的に位置決めする段階を含んでいる。
【００２６】
添付図面を参照した以下の詳細説明により、本発明をより理解することができるであろう。
【発明を実施するための最良の形態】
【００２７】
図１は、本発明の好適な実施形態にもとずいて作り、かつ操作可能な避難装置を備えた建物の斜視図である。図１に見られるように、建物用避難装置は好ましくは複数の選択的に下降可能な多段プラットホームのほぼ垂直な運搬装置であって、符号１００で図示されており、建物の複数の階と選択的に通信できるようになっている。コントロール出力は、好ましくは中央コントローラ１０４により又は代りに各々が所定の運搬装置１００に指定可能な複数のコントローラにより提供されていて、運搬装置１００の多段プラットホーム１０６を複数の階から少なくとも一つの脱出階１０８に選択的に下降可能になっていて、その脱出階１０８において、人々の脱出が安全に実行されるようになっている。
【００２８】
建物１０２のような建物は一つ以上の運搬装置１００を含んでいてもよい。図１における例示の実施形態において、複数の運搬装置１００が種々の操作状態で、例えば、運搬装置１１０は格納状態、運搬装置１１２は初期配備前状態、運搬装置１１４は初期配備前の進んだ状態、運搬装置１１６は初期配備状態、運搬装置１１８は避難乗込み状態、及び運搬装置１２０は避難脱出状態で図示されている。
【００２９】
コントローラ１０４への又は直接運搬装置１００への人間によるコントロール入力は、例えばコントローラ１０４における一人以上の操作員１２２、地上における操作員１２４、消防車１２６における操作員及びインターネット又は緊急ネットワークのようなデータネットワークを介して通話する遠隔操作員１２８により提供されてもよい。
【００３０】
図１に図示するように、各々の運搬装置１００は、好ましくは複数のほぼ垂直なサポートに支持されるべく配置された複数の積層式プラットホーム１０６を備えていて、複数の積層式プラットホーム１０６はお互いに離間して配置されている。図１の運搬装置１１８で図示するように運搬装置１１８のために、プラットホーム１０６各々は、避難乗込みのために建物１０２の異なる階と通話できるようになっている。図１の運搬装置１１０，１１２，１１４及び１１６で図示するように、複数の積層式プラットホーム１０６は好ましくは使用されない場合にお互いに折りたたんで配置される。
【００３１】
避難する人々がプラットホーム１０６から脱出後、積層式プラットホーム１０６は、符号１３０で図示されるようにお互いに折りたたんで配置される。
【００３２】
図１における例示の実施形態において、複数の積層式プラットホーム１０６各々は、好ましくは耐熱性、耐火性及び／又は耐煙性の繊維で作られるか、又はお互いに折りたたみ可能な剛エレメント若しくは適切な組合わせのいずれかにより作られた壁面エレメントのような、好ましくは底部サポート面１３２及び周囲包囲エレメント１３４を備えている。包囲エレメント１３４は、完全な壁面というよりはむしろ手すり用又は拘束用の保護バンドを形成していてもよい。包囲エレメント１３４は、好ましくはプラットホーム１０６に作用する風力を低減するために小さな空力抵抗を備えている。好ましくは、安定エレメントを取り付けた少なくとも一つの建物が、風力のような横方向の力に対して運搬装置を安定化するために各運搬装置と協働している。例示の実施形態において、垂直ガイド１３６が建物１０２に沿って適切な場所に備えられている。
【００３３】
図１における実施形態において、複数の運搬装置１００が備えられていて、コントローラ１０４は、好ましくは個々の運搬装置１００を個別に制御するべく操作可能であって、異なる運搬装置の複数のプラットホーム１０６が、同時的な避難乗込みのために建物の複数階の異なるグループと通信して同時に位置決めできるようになっている。複数階は隣接したものであってもよいし、そうでなくてもよい。
【００３４】
運搬装置は消防員又は救出員のような人達、及び／又は用具を脱出階又は建物の他の階から該当建物の複数階へ吊り上げるために配備されてもよい。
【００３５】
図２Ａ，２Ｂ，２Ｃ，２Ｄ，２Ｅ，２Ｆ，２Ｇ，２Ｈ，２Ｉ，２Ｊ，２Ｋ，２Ｌ，２Ｍ，２Ｎ，２Ｏ，２Ｐ，２Ｑ，２Ｒ，２Ｓ，２Ｔ，２Ｕ，２Ｖ及び２Ｗは図１における避難装置の典型的な操作を図示している。図２Ａにおいて、一般に運搬装置１００は、好ましくは建物１０２の屋上１３８に取りつけられた固定設備を含んでいる。固定設備が、好ましくは運搬装置制御サブシステム１４０を含んでいて、運搬装置制御サブシステム１４０は、有線及び／又は無線通信インターフェース１４２を有していて、かつコントローラ１０４（図１）及び／又は操作員１２２，１２４及び１２８（図１）のような一人以上の操作員により使用される一つ以上の通信機（図示されていない）と対話式データコミニュケーションできるようになっている。
【００３６】
運搬装置制御システム１４０は、主電源、非常用電源及び／又は発電機を用いて、好ましくは油圧のウィンチ／ブレーキアセンブリ１４４、積層式プラットホーム配備前位置決めアセンブリ１４６及びプラットホーム配備アセンブリ１４８を操作する。好ましくは、ウィンチ／ブレーキアセンブリ１４４が、従来形の油圧流体ポンプ及びリザーバアセンブリと、従来形の油圧冷却アセンブリと、従来形のギアモータアセンブリと従来形の油圧制御弁（図示されていない）とを含んでいて、非常用油圧ブレーキシステムと連結された従来形の油圧ウィンチに対して動力及びブレーキを提供するようになっている。好ましくは、ウィンチ／ブレーキアセンブリ１４４は、運搬装置１００が降下される際のブレーキを提供し、運搬装置１００が上昇される際の吊り上げ動力を提供する。
【００３７】
電源そう失時、ウィンチ／ブレーキシステム１４４は、運搬装置１００のプラットホーム１０６を重力を用いて脱出階１０８（図１）へ下降させるべく操作可能であることが理解される。
【００３８】
好ましくは四本のケーブル１５０，１５２，１５４及び１５６がウィンチ／ブレーキアセンブリ１４４に巻きつけられ、そして運搬装置上部フレーム１５８における離間した四ヶ所に延伸している。ケーブル１５０，１５２，１５４及び１５６各々は、好ましくはそれぞれ１６０，１６２，１６４及び１６６で付番された一対のプーリに係合していて、そのプーリは回動可能に取り付けられた配備フレーム（deployment frame）１６８に支持されている。配備フレーム１６８は、静止フレーム１７２により形成された軸１７０周囲で回転するために回動可能に取り付けられている。配備フレーム１６８の選択可能な回動方位は、好ましくは一対の油圧ピストン１７４により提供される。
【００３９】
お互いに離間した一対の配備トラック１７６が建物の屋上１３８から、始めは垂直に続いて屋上壁面１８０を越えて、屋上の外表面から離間して下向きに、弧状に延伸している。運搬装置上部フレーム１５８は、トラック１７６に沿ってまたがるべく配置されていて、好ましくは隅にトラック１７６とまたがるように係合している、一対のローラ１８２を含んでいる。
【００４０】
プラットホーム配備アセンブリ１４８において、積層式プラットホーム選択式放出アセンブリ１９０が運搬装置上部フレーム１５８に取りつけられていることが理解される。積層式プラットホーム選択式放出アセンブリ１９０は、好ましくは回転式シャフト１９６を作動する積層式プラットホーム放出モータ／ブレーキアセンブリ１９４の操作を調節する無線式コントロール通信機１９２を備えていて、その回転式シャフト１９６両端にはプーリ１９８が取りつけられている。好ましくは、ケーブル２００がプーリ１９８に巻きつけられている。これらのケーブルは、プラットホーム１０の配備がモータ／ブレーキアセンブリ１９４により調節されるように、最下段プラットホーム１０６に連結されている。
【００４１】
図２Ａは、ケーブル２００により運搬装置上部フレーム１５８の下方にしっかりと保持された複数の積層式プラットホーム１０６を図示している。積層式プラットホーム１０６各々は好ましくは、一対の緩衝ローラ２０２及び建物に取り付けた一対のガイドローラアセンブリ２０４を含んでいて、その一対のガイドローラアセンブリ２０は、建物に取り付けた垂直ガイド１３６（図１）のような建物に取り付けた垂直レール又はガイドと垂直にスライド作動可能に係合するようになっている。以下に詳述するように、積層式プラットホーム１０６各々は選択的に位置決め可能な避難ブリッジ２０６を含んでいる。
【００４２】
図２Ａに続く、ウィンチ／ブレーキアセンブリ１４４の作動により運搬装置上部フレーム１５８及び積層式プラットホーム１０６の上昇、及びピストン１７４によりもたらされる配備フレーム１６８の軸１７０周囲での部分的回転との機構が、図２Ｂに図示されている。
【００４３】
図２Ｃは、図２Ｂに続く運搬装置上部フレーム及び積層式プラットホーム１０６とのトラック１７６に沿った横方向移動の機構を図示していて、その横方向移動は、ピストン１７４の作動による軸１７０周囲における配備フレーム１６８のさらなる回転によりもたらされている。ケーブル１５０，１５２，１５４及び１５６は、この横方向移動を吸収するために、ウィンチ／ブレーキアセンブリ１４４によりいくらか繰り出される。
【００４４】
図２Ｄは、図２Ｃに続く運搬装置上部フレーム５８及び積層式プラットホーム１０６とのトラック１７６に沿った横方向で下向き垂直移動の機構を図示していて、その移動は、ピストン１７４の最大ストロークによる軸１７０周囲における配備フレーム１６８のさらなる回転によりもたらされている。図２Ｄは、建物に取り付けられたガイドローラアセンブリ２０４が垂直ガイド１３６と初期係合しているところを図示していて、その係合は、ウィンチ／ブレーキアセンブリ１４４によるケーブル１５０，１５２，１５４及び１５６の繰り出しによりもたらされるプラットホーム１０６と運搬装置上部フレーム１５８との下降の結果である。アセンブリ２０４が、好ましくはほぼ外周サポート２０８に取り付けられた少なくとも三個のローラ２０６を含んでいる。
【００４５】
図２Ｅは、図２Ｄに続く運搬装置上部フレーム１５８及び積層式プラットホーム１０６とのトラックに沿ったさらなる下向きの垂直移動を図示していて、その移動は、ウィンチ／ブレーキアセンブリ１４４の作動によりもたらせており、運搬装置上部フレーム１５８のローラ１８２がトラック１７６から係合解除させている。図２Ｅは、建物に取り付けたガイドローラアセンブリ２０４と垂直ガイド１３６との係合を図示していて、モータ／ブレーキアセンブリ１９４によるプーリ１９８からケーブル２００をほどくことによりもたらされる運搬装置上部フレーム１５８に対するプラットホーム１０６の下降が続く。
【００４６】
図２Ｆは、図２Ｅに続く運搬装置上部フレーム１５８に対するプラットホーム１０６のさらなる下降の機構を図示していて、その下降はモータ／ブレーキアセンブリ１９４の作動によるプーリ１９８からのケーブル２００をさらにほどくことによりもたらされる。周囲包囲エレメント１３４が開きはじめ、運搬装置上部フレーム１５８と接続された複数のけん引ライン２１０により上向きに引き上げられる。けん引ライン２１０は、好ましくは周囲包囲エレメント１３４の上部に沿って備えられた弾性バンド２１２と接続されている。けん引ライン２１０は、好ましくは弾性バンド２１２を越えて延伸しそしてプラットホーム１０６と接続される。
【００４７】
ケーブル１５０，１５２，１５４及び１５６それぞれの延伸部分２２０，２２２，２２４及び２２６が、運搬装置上部フレーム１５８をその下方に位置するプラットホーム１０６と相互接続していて、さらに積層式プラットホーム１０６それぞれをお互いに相互接続しており、自重と積載荷重とを支持するようになっている。プラットホーム１０６が図２Ａ−２Ｅに図示するような積層状態にある場合、延伸部はその間にあって引張されていないが、プラットホーム１０６が所定のお互いに離間した状態において完全に配備される場合、ケーブル延伸部は引張されそして垂直的に隣接したプラットホーム１０６の間にスペースを形成する。
【００４８】
本発明における好適な実施形態において、特に図２Ｆに図示するように、運搬装置上部フレーム１５８及びプラットホーム１０６において、ケーブル１５０，１５２，１５４及び１５６各々又はそれぞれの延伸部は、好ましくは回動式アンカアセンブリ２２８によりアンカーされる。
【００４９】
図２Ｇは、運搬装置１００の最上段プラットホーム１０６が完全に配備されそしてその周囲包囲エレメント１３４がけん引ライン２１０及び弾性バンド２１２とにより完全にけん引され、他のプラットホーム１０６及び周囲包囲エレメント１３４は積層されていてまだ配備状態になっていないことを図示している。周囲包囲エレメント１３４が、チャック式脱出開口部のような脱出開口部２３０を含んでいて、それに接続して選択的に位置決め可能な好ましくは直立状態の避難ブリッジ２０６を有している。
【００５０】
図２Ｈは、すべてのプラットホーム１０６が完全に配備され、かつ各プラットホーム１０６の周囲包囲エレメント１３４が完全に引張された場合の運搬装置１００を図示している。通常各プラットホーム１０６の配備及び周囲包囲エレメントの引張は運搬装置の最上段から最下段に順次行なわれる。図２Ｇに図示するように、各周囲包囲エレメント１３４が、チャック式出口開口部のような脱出開口部２３０を含んでいて、かつそれに接続した選択的に位置決め可能な好ましくは直立状態の避難ブリッジ２０６を有している。
【００５１】
図２Ｉは、好ましくはウィンチ／ブレーキアセンブリ１４４の作動により建物１０２に対して所望する垂直位置に下降された完全に配備された運搬装置１００を図示していて、プラットホーム１０６各々は、ここでは２３６で付番されている建物の独立した階と正しく整列するようになっている。
【００５２】
図２Ｊは、建物階２３６と適切に垂直方向に整列して配備されたプラットホーム１０６を図示していて、避難ブリッジ２０６が緊急避難ドアー３３８と対面するようになっている。避難アームリーダのような認定された個人が、緊急避難ドアーを開くために通常緊急避難キー２４０を使用する。図２Ｋ及び２Ｌは、避難ブリッジ２０６を位置決めしている避難チームリーダを図示していて、一方図２Ｍは、建物の階２３６からプラットホーム１０６の周囲包囲エレメント１３４内に避難する人達を図示している。建物の複数階から一つ以上の運搬装置の複数のプラットホーム１０６への避難は同時に行なわれることが理解されるであろう。
【００５３】
図２Ｎは、避難ブリッジ２０６を折りたたみ、そしてそれを安全ゲートとして役立たせるべく周囲包囲エレメント１３４に固定している避難チームリーダを図示している。図２０は別の構造体を図示していて、通常跳上げ戸２４２及びはし子とを含んでいる通路は、人々が運搬装置１００におけるプラットホーム１０６間で移動することを可能にしている。
【００５４】
図２Ｐは、乗り込み位置から脱出位置へ下降している人々を載せた運搬装置を図示している。
【００５５】
図２Ｑは、脱出階１０８における運搬装置の最下段プラットホーム１０８からの避難者の脱出を図示していて、そして図２Ｒは、出口レベル１０８に下降された最下段の次のプラットホーム１０６であって、延伸部２２０，２２２，２２４及び２２６（図２Ｆ）の引張がゆるんでいる状態を図示している。図２Ｒに図示するように、最下段プラットホーム１０６を囲んでいる周囲包囲エレメント１３４は、けん引ライン２１０の引張をゆるめ、弾性バンド２１２が周囲包囲エレメント１３４を内向きに引き込ませることにより折りたたまれる。弾性バンド２１２の存在が、周囲包囲エレメント１３４の整然とした折りたたみを提供している。図２Ｓは最上段プラットホームからの避難者の脱出を図示している。
【００５６】
図２Ｔは、図２Ｑ−２Ｓに図示した機能性とは別のものを図示していて、避難者は、より上段のプラットホーム１０６から脱出階１０８における最下段プラットホーム１０６を介して脱出するために跳上げ戸２４２及びはし子２４４を使用していて、脱出時にプラットホームを折りたたむ必要はない。複数のプラットホーム１０６から同時的に脱出することは、膨脹式スライド又は他の適切な手段のいずれかのような別の手段により提供されてもよい。
【００５７】
図２Ｕは図２Ｑ−２Ｓに図示した機能性とは別のものを図示している。脱出階１０８は、複数の踊り場２４８と階段２５０とを含んでいる複数階の避難用構造体２４６で具体化されている。この実施形態において、各々のプラットホーム１０６における人々は、運搬装置１００が適切に下降された時、プラットホーム１０６各々に横付けになった踊り場２４８に同時に出ることができる。代りに、踊り場２４８及び階段２５０が建物１０２の内部にあってもよい。複数階の避難構造体２４６は、図５Ａ−５Ｂを参照して以下に説明するポータブル式構造体であってもよい。
【００５８】
図２Ｖ及び２Ｗに図示するように、出口機能性にかかわりなく、運搬装置１００は救助員又は消防員が建物１０２の選択した階に上がるために使用することができることが理解されるであろう。
【００５９】
図３Ａ−３Ｃは図１−２Ｗにおける構造体の変形を示めす。運搬装置３００は、好ましくは剛な折りたたみ式テンションロッド３０４のような剛なサポートエレメントによりお互いに接続された複数の組み重ね式キャビン３０２を使用している。キャビン３０２は、ほぼ図２Ａ−２Ｗを参照して前述した方法で順次下降され配備されそして使用される。図３Ａは図２Ｇとほぼ対応するものであって、同様な配備ステージを図示していて、図３Ｂは図２Ｉとほぼ対応するものであって同様な配備ステージを図示していて、図３Ｃはほぼ図２Ｒの一部と対応するものであって、最下段の二つのキャビン３０２を組み重ねる直前の部分的に折りたたまれているところを図示している。図３Ｃに示めすように、キャビン３０２は剛な折りたたみ式テンションロッド３０４で接続されている。延伸部２２０，２２２，２２４及び２２６（図２Ｆ）とほぼ同様な機能性を備えている。
【００６０】
図４Ａ及び４Ｂは図１−３Ｃにおける構造体のさらなる変形を図示している。運搬装置４００はポータブル型であって移動式クレーン４０２により支持されているけれども、図２Ａ−２Ｗを参照して前述したのと同様な方法で操作される。運搬装置４００は図１−２Ｗに図示したプラットホーム１０６と同様なプラットホーム４０６、又は図３Ａ−３Ｃに図示されているような他の適切な別の構造体を使用してもよい。
【００６１】
図５Ａ，５Ｂ及び５Ｃは、図１−４Ｂの装置をさらに変形した避難運搬装置の操作の三ステージを図示している。運搬装置４５０はポータブル型であって伸縮式ピストン４５２により支持されていて、かつ図１−２Ｗを参照して前述した方法と同様な方法で操作される。運搬装置４５０は、図１−２Ｗに図示されているプラットホーム１０６と同様なプラットホーム、又は図３Ａ−３Ｃに図示されているような他の適切な別の構造体を使用してもよい。図５Ａは、格納状態を図示していて、ほぼ図１の運搬装置１１０と一致している。図５Ｂに図示するように、ピストン４５２が運搬装置４５０を建物の適切な階に上昇させる。この実施形態において、伸縮式ピストン４５２は図２Ａ−２Ｗの実施形態におけるウィンチ／ブレーキアセンブリ１４４と同様の機能を実行する。図５Ｂは事前配備の進んだ状態を図示していて、ほぼ図１の運搬装置１１４と一致している。図５Ｃは完全に事前配備された運搬装置４５０を図示していて、ほぼ図２Ｈと一致している。この実施形態において、プラットホーム４５０の下降と折りたたみはピストン４５２の下降により行なわれることが理解されるであろう。
【００６２】
図６は、図１−５Ｃのいずれの装置にも利用できるコミニュケーションコントロールネットワークの概略ブロックダイアグラムである。好適なコミニュケーションコントロールネットワークにおいて、好ましくは建物１０２（図１）の中に格納された中央コントローラ１０４は、建物のすべての運搬装置１００（図１）の操作の制御及び監視とを行なうことができて、かつ複数のコミニュケーションチャンネルを介して運搬装置制御サブシステム１４０と有線及び無線で通信することができる。好ましくは、地上又は他の適切な場所にいる操作員１２２及び１２４のような異なる避難チームメンバーにより各々の運搬装置１００（図１）の個々の制御を可能にするために、複数のポータブル型運搬装置コントローラ６５４が備えられている。ポータブル型運搬装置コントローラ６５４は、好ましくは一つ以上の運搬装置１００、特にそれに特定された運搬装置１００と無線で通信する。遠隔地から状況を監視している操作員１２８のような遠隔地にいる操作員は、好ましくは遠隔通信器６５６を使用していて、その遠隔通信機６５６は、インターネットのようなデータネットワーク又は緊急ネットワークを介して中央コントローラ１０４と及び／又はポータブル型運搬装置コントローラ６５４と通信するためのものである。
【００６３】
建物１０２（図１）の階に位置する、又は運搬装置（図１）のプラットホーム１０６（図１）に乗っている避難チームのリーダは、コントローラ１０４及び６５４の操作員１２２及び１２４、及び通信機６５６の操作員１２８と音声あるいはデータ通信している。
【００６４】
図７は、図１−６のいずれの装置にも利用できる運搬装置コントロールサブシステムの概略ブロックタイアグラムである。図７に図示するように、運搬装置、コントロールサブシステムは、好ましくは外部通信インターフェース１４２及び内部通信インターフェース６６４とに接続された運搬装置コントロールユニット６６０を備えている。外部通信インターフェース１４２は、コントローラ１０４とポータブル型運搬装置コントローラ６５４と通信機６５６との有線通信及び無線通信を提供していて、一方内部通信インターフェース６６は、ウィンチ／ブレーキアセンブリ１４４と事前配備アセンブリ１４６と無線機１９２を介してのプラットホーム配備アセンブリ１４８との有線通信及び無線通信を提供している。
【００６５】
コントロールユニット６６０は、内部通信インターフェース６６４を介して、ウィンチ／ブレーキアセンブリ１４４のウィンチ操作及びブレーキ操作と、緊急ブレーキ装置のブレーキ操作とを制御していて、配備されたプラットホーム１０６を所定の階に位置決めし、人を載せた場合脱出位置に下降させるようになっている。事前配備アセンブリ１４６のピストン１７４（図２Ａ）は、内部通信インターフェース６６４を介してコントロールユニット６６０により操作されていて、垂直移動用の積層式プラットホームを垂直ガイド１３６（図１）と作動可能な係合状態に位置決めするようになっている。ケーブル２００（図２Ａ）を巻きもどすプーリ１９８（図２Ａ）を含んでいるプラットホーム配備アセンブリ１４８によるプラットホーム１０６の配備も無線通信機１９２を介してコントロールユニット６６０により制御されている。プラットホーム配備アセンブリ１４８は、プラットホーム１０６に設置されたセンサ及び／又は回路と有線又は無線通信モードのどちらかで通信するべく作用している。
【００６６】
プラットホーム１０６が、運搬装置コントロールシステム１４０を介して中央コントローラ１０４及び／又はポータブル型コントローラ６５４及び遠隔通信機６５６と通信する複数のセンサを含んでいてもよい。これらのセンサは、種々の配備ステージに関する情報を提供するべく作用していて、例えば速度センサ、プラットホーム位置センサ、避難ブリッジ位置センサ、地上接近センサ、及び好ましくはプラットホームが空になった時期を測定する重量センサを含んでいてもよい。
【００６７】
図８Ａ−８Ｆは図１−３Ｃのシステムの操作を説明している概略フローチャートである。図８Ａに図示するように、避難システムの作成時に、複数の所定の避難非常事態プランが準備され記憶されている。典型的な所定のプランは、４４−５０階の避難に使用する運搬装置１１０、３７−４３階の避難に使用する運搬装置１１２等々を必要とする。これらのプランは、好ましくはコントローラ１０４、ポータブル型コントローラ６５４及び遠隔通信機６５６にアクセス可能である。
【００６８】
避難スタンバイ命令を指示するのに先立って、運搬装置１００各々は好ましくは図２Ａに図示する状態にある。図８Ｂに図示するように、避難スタンバイ命令を指示する際、発電機及び運搬装置１００の電気機械装置が起動されかつ事前検査され、そして運搬装置１００は、好ましくは図２Ｃに図示するような事前配備状態になっている。
【００６９】
好ましくは同時に、公認操作員により所定の避難プランの一つが適用されるか、又は一般の避難プランが決定される。
【００７０】
図８Ｃは、前述したシステムの全体操作を示めす概略フローチャートである。図８Ｃに図示するように、配備命令は公認操作員により有効な避難プランに基ずいて指示される。配備命令を受信すると、各々の運搬装置１００のコントロールユニット６６０が、運搬装置１００を避難プランにより必要とされる建物階へ配備するべく作用する。図８Ｄを参照して以下に詳述する。運搬装置１００の配備に続いて、プラットホーム１０６に避難者が乗り込む。図８Ｅを参照して以下に説明する。最終的に、避難者が乗り込んだプラットホームは、脱出階に下降され、かつ空になる。図８Ｆを参照して以下に説明する。
【００７１】
図８Ｄにおいて、各々の運搬装置は以下の操作手順により、好ましくは自動的に行なわれる。図２Ｄ及び２Ｅに図示するように、運搬装置上部フレーム１５８及び積層式プラットホーム１０６はトラック１７６に沿って横方向かつ垂直方向下向きに移動される。建物に取り付けたガイドローラアセンブリ２０４が垂直ガイド１３６と係合する。
【００７２】
図２Ｆに図示するように、プラットホーム１０６は、モータ／ブレーキアセンブリ１９４の作動によるプーリ１９８からのケーブル２００をほどくことにより運搬装置上部フレームに対して下降される。さらに図２Ｆに図示するように、運搬装置上部フレーム１５８に対するプラットホーム１０６のさらなる下降に続いて、周囲包囲エレメント１３４各々が運搬装置上部フレーム１５８と接続された複数のけん引ライン２１０により上向きに引かれるので、各プラットホーム１０６と接続した周囲包囲エレメント１３４（図１）が広げられる。運搬装置上部フレーム１５８をその下方に位置しているプラットホーム１０６と相互接続し、かつプラットホームがお互い同士を相互接続している、ケーブル１５０，１５２，１５４及び１５６それぞれの延伸部２２０，２２２，２２４及び２２６が、引張されプラットホームを支持し、かつそれらの間にスペースを形成する。
【００７３】
図２Ｇに図示するように、運搬装置１００のプラットホームが完全に配備されると、各プラットホーム１０６の周囲包囲エレメント１３４が完全に引張される。好ましくは、中央コントローラ１０４及びポータブル型コントローラ６５４は、適切なセンサからプラットホームが完全に配備されたことの情報を受信する。
【００７４】
図２Ｈに図示するように、運搬装置のプラットホームの完全配備に続いて、プラットホーム各々が避難プランにもとずく建物の階に整列するべく下降される。好ましくは、中央コントローラ１０４及びポータブル型コントローラ６５４はプラットホームが正しい建物階に適切に位置決めされたことの情報を受信する。
【００７５】
図８Ｅは、好ましくは建物各階にプラットホーム１０６が同時に位置するステップを図示する概略フローチャートである。これらの操作は、好ましくは各階に配置された避難チームリーダにより調整される。
【００７６】
図２Ｊ，２Ｋ及び２Ｃに図示するように、避難チームリーダは、好ましくは非常ドア２３８のような非常口を開く。避難チームリーダは非常ドア２３８を開くために避難用非常キー２４０を使用し、そしてプラットホーム１０６における周囲包囲エレメント１３４の内部にアクセス可能なように避難ブリッジ１３４を位置決めする。
【００７７】
図２Ｍに図示するように人々はブリッジをわたりプラットホーム２０６の周囲包囲エレメント１３４の内部に乗り込み、続いて図２Ｎに図示するように避難チームリーダが避難ブリッジ２０６を折りたたみそして安全ゲートとして作用するべくそれを周囲包囲エレメント１３４に固定する。好ましくは、中央コントローラ１０４及びポータブル型コントローラ６５４は適切なセンサからすべての避難ブリッジ２０６が固定され、かつプラットホームを下降する準備ができたことの情報を受信する。
【００７８】
前述の情報を受信すると、中央コントローラ１０４又はポータブル型コントローラ６５４がプラットホームの下降指令をコントロールユニット６６０に提供する。コントロールユニット６６０は、好ましくは図８Ｆに図示する連続的な自動操作で、図２Ｐに図示するようにプラットホームを自動的に脱出階１０８に下降させる。以下に説明する：
【００７９】
最下段のプラットホーム１０６が脱出階１０８に到着すると、プラットホームの下降は適切なセンサからの信号に応答して一時的に停止される。このステージにおいて、例えばチャック付き脱出開口部２３０が、チームリーダにより周囲包囲エレメント１３４の内側から、又は公認操作員により周囲包囲エレメントの外側から開かれ、そして人々は周囲包囲エレメントを後にする。図２Ｑ及び２Ｒは、避難者が運搬装置の最下段から脱出するところと、避難者が脱出した後でプラットホームの再下降が行なわれるので、最下段プラットホーム１０６を囲む周囲包囲エレメント１３４が折りたたまれるところを図示している。周囲包囲エレメント１３４が折りたたまれる前と避難者がプラットホームから出たことは、好ましくは適切なセンサ又は公認操作員により確認される。次段のプラットホーム各々が脱出階に下降され、中の避難者は周囲包囲エレメント１３４から出て、プラットホームが折りたたみ状態に積載される。図２Ｓは避難者が最上段プラットホームからの脱出を図示している。プラットホームの下降と、中にいる避難者が脱出することの許可と、プラットホーム及び周囲包囲エレメントの折りたたみとは、公認操作員により手動制御で行なわれてもよいし、一部を自動制御で一部を手動制御で行なわれてもよいことが理解される。
【００８０】
図２Ｖ及び２Ｗに図示するように、このステージにおいて運搬装置１００は、救助員又は消防員が建物の選択した階に上るために使用されてもよいことが理解される。一連の操作は、好ましくは公認操作員により手動制御で行なわれてもよいし、一部を自動制御で一部を手動制御で行なわれてもよいことが理解されるであろう。この一連の操作において、前述した多くのステップは、通常相対する要求において実行される。
【００８１】
公認操作員の介入が前述した操作の一つ以上のステージで行なわれることは理解されるであろう。
【００８２】
当業者においては、本発明は前述した内容により限定されるものでないことは理解されるであろう。むしろ本発明の範囲は、当業者が本明細書を読んで思いつきかつ従来技術ではない変更及び修正と同様に、前述の種々の特徴の組合わせ及び副次的組合わせを含んでいるものである。
【図面の簡単な説明】
【００８３】
【図１】図１は、本発明の好適な実施形態にもとずいて作られかつ操作可能な避難装置を備えた建物の概略図である。
【図２Ａ】図２Ａは、図１の避難装置における避難運搬装置の操作の一連のステージを示めす。
【図２Ｂ】図２Ｂは、図１の避難装置における避難運搬装置の操作の一連のステージを示めす。
【図２Ｃ】図２Ｃは、図１の避難装置における避難運搬装置の操作の一連のステージを示めす。
【図２Ｄ】図２Ｄは、図１の避難装置における避難運搬装置の操作の一連のステージを示めす。
【図２Ｅ】図２Ｅは、図１の避難装置における避難運搬装置の操作の一連のステージを示めす。
【図２Ｆ】図２Ｆは、図１の避難装置における避難運搬装置の操作の一連のステージを示めす。
【図２Ｇ】図２Ｇは、図１の避難装置における避難運搬装置の操作の一連のステージを示めす。
【図２Ｈ】図２Ｈは、図１の避難装置における避難運搬装置の操作の一連のステージを示めす。
【図２Ｉ】図２Ｉは、図１の避難装置における避難運搬装置の操作の一連のステージを示めす。
【図２Ｊ】図２Ｊは、図１の避難装置における避難運搬装置の操作の一連のステージを示めす。
【図２Ｋ】図２Ｋは、図１の避難装置における避難運搬装置の操作の一連のステージを示めす。
【図２Ｌ】図２Ｌは、図１の避難装置における避難運搬装置の操作の一連のステージを示めす。
【図２Ｍ】図２Ｍは、図１の避難装置における避難運搬装置の操作の一連のステージを示めす。
【図２Ｎ】図２Ｎは、図１の避難装置における避難運搬装置の操作の一連のステージを示めす。
【図２Ｏ】図２Ｏは、図１の避難装置における避難運搬装置の操作の一連のステージを示めす。
【図２Ｐ】図２Ｐは、図１の避難装置における避難運搬装置の操作の一連のステージを示めす。
【図２Ｑ】図２Ｑは、図１の避難装置における避難運搬装置の操作の一連のステージを示めす。
【図２Ｒ】図２Ｒは、図１の避難装置における避難運搬装置の操作の一連のステージを示めす。
【図２Ｓ】図２Ｓは、図１の避難装置における避難運搬装置の操作の一連のステージを示めす。
【図２Ｔ】図２Ｔは、図１の避難装置における避難運搬装置の操作の一連のステージを示めす。
【図２Ｕ】図２Ｕは、図１の避難装置における避難運搬装置の操作の一連のステージを示めす。
【図２Ｖ】図２Ｖは、図１の避難装置における避難運搬装置の操作の一連のステージを示めす。
【図２Ｗ】図２Ｗは、図１の避難装置における避難運搬装置の操作の一連のステージを示めす。
【図３Ａ】図３Ａは、図１−２Ｗの避難装置における変更した避難運搬装置の操作におけるステージを示めす。
【図３Ｂ】図３Ｂは、図１−２Ｗの避難装置における変更した避難運搬装置の操作におけるステージを示めす。
【図３Ｃ】図３Ｃは、図１−２Ｗの避難装置における変更した避難運搬装置の操作におけるステージを示めす。
【図４Ａ】図４Ａは、図１−３Ｃの避難装置におけるさらに変更した避難運搬装置の操作におけるステージを示めす。
【図４Ｂ】図４Ｂは、図１−３Ｃの避難装置におけるさらに変更した避難運搬装置の操作におけるステージを示めす。
【図５Ａ】図５Ａは、図１−４Ｂの避難装置における変更した避難運搬装置の操作におけるステージを示めす。
【図５Ｂ】図５Ｂは、図１−４Ｂの避難装置における変更した避難運搬装置の操作におけるステージを示めす。
【図５Ｃ】図５Ｃは、図１−４Ｂの避難装置における変更した避難運搬装置の操作におけるステージを示めす。
【図６】図６は、図１−５Ｃにおける避難装置に使用されるコミニュケーションコントロールネットワークの概略ブロック図である。
【図７】図７は、図１−６の避難装置の一部分の概略ブロック図である。
【図８Ａ】図８Ａは、図１−３Ｃにおける避難装置の種々の部分の操作を示めすフローチャートである。
【図８Ｂ】図８Ｂは、図１−３Ｃにおける避難装置の種々の部分の操作を示めすフローチャートである。
【図８Ｃ】図８Ｃは、図１−３Ｃにおける避難装置の種々の部分の操作を示めすフローチャートである。
【図８Ｄ】図８Ｄは、図１−３Ｃにおける避難装置の種々の部分の操作を示めすフローチャートである。
【図８Ｅ】図８Ｅは、図１−３Ｃにおける避難装置の種々の部分の操作を示めすフローチャートである。
【図８Ｆ】図８Ｆは、図１−３Ｃにおける避難装置の種々の部分の操作を示めすフローチャートである。
【図１】
2006507043.tif 000003
2006507043.tif 000004
2006507043.tif 000005
2006507043.tif 000006
2006507043.tif 000007
2006507043.tif 000008
2006507043.tif 000009
2006507043.tif 000010
2006507043.tif 000011
2006507043.tif 000012
2006507043.tif 000013
2006507043.tif 000014
2006507043.tif 000015
2006507043.tif 000016
2006507043.tif 000017
2006507043.tif 000018
2006507043.tif 000019
2006507043.tif 000020
2006507043.tif 000021
2006507043.tif 000022
2006507043.tif 000023
2006507043.tif 000024
2006507043.tif 000025
2006507043.tif 000026
2006507043.tif 000027
2006507043.tif 000028
2006507043.tif 000029
2006507043.tif 000030
2006507043.tif 000031
2006507043.tif 000032
2006507043.tif 000033
2006507043.tif 000034
【図６】
2006507043.tif 000035
【図７】
2006507043.tif 000036
【図８Ａ】
2006507043.tif 000037
【図８Ｂ】
2006507043.tif 000038
【図８Ｃ】
2006507043.tif 000039
【図８Ｄ】
2006507043.tif 000040
【図８Ｅ】
2006507043.tif 000041
【図８Ｆ】
2006507043.tif 000042
【国際調査報告】
2006507043.tif 000043
2006507043.tif 000044